(57)【要約】   【課題】軒先の出隅にあって一対の軒樋を連結する際に接着剤が掻き取られることなく軒樋を容易に嵌合することができる軒樋内継手を提供する。  【解決手段】  軒樋出隅継手３５は継手本体部３７と一対の継手部３８から成る。継手本体部３７の一対の継手部３８は二組の継手部材４０、４２で形成され、継手本体部３７の両端部３７ｆの内周面Ｑ１と一対の軒樋３６の端部３６ｄの内周面Ｑ２に跨って形成する。継手部材４０は継手本体部３７の後壁部３７ｂと底壁部３７ｃに接するとともにこの後壁部３７ｂと底壁部３７ｃに接する二辺を含めて成る略矩形筒部４１を下方に備える。継手部材４２は継手本体部３７の前壁部３７ａと底壁部３７ｃに接するとともに前壁部３７ａと底壁部３７ｃに接する二辺を含めて成る略矩形筒部４３を下方に備える。継手本体部３７と予め一体的に形成された継手部材４０が一対の軒樋３６に挿入した後に継手部材４２を取付ける。【選択図】  図１
2010090610.tif 000002
【特許請求の範囲】
【請求項１】
前壁と後壁と底壁から成る断面凹形状の一対の軒樋を建物の出隅で接着剤を介して連結する軒樋出隅継手であって、
前記軒樋出隅継手は平面視略Ｌ字形状で前記軒樋と同形状の断面凹形状の前壁部と後壁部と底壁部から成る継手本体部と、前記継手本体部の両端部の内周面と前記一対の軒樋の端部の内周面に跨って連結する一対の継手部とから成り、
それぞれの前記継手部は複数の継手部材で形成され、その内の一組の継手部材が前記継手本体部の内周面に予め固着されていることを特徴とする軒樋出隅継手。
【請求項２】
請求項１に記載の軒樋出隅継手であって、前記継手部材は二組で形成され、一組が前記継手本体部の前壁部と底壁部に接するとともにこの前壁部と底壁部に接する二辺を含めて成る略矩形筒部を下方に備え、他組が前記継手本体部の後壁部と底壁部に接するとともにこの後壁部と底壁部に接する二辺を含めて成る略矩形筒部を下方に備えることを特徴とする軒樋出隅継手。
【請求項３】
請求項２に記載の軒樋出隅継手であって、前記継手部材の二組の前記略矩形筒部の隣接部において互いに垂直方向に重なる突出部を前記底壁部と平行に備え、この突出部が前記底壁部に接する側の前記継手部材が前記継手本体部の内周面に予め固着されることを特徴とする軒樋出隅継手。
【請求項４】
請求項１に記載の軒樋出隅継手であって、前記継手部材は三組で形成され、一組が前記継手本体部の前壁部と底壁部に接するとともにこの前壁部と底壁部に接する二辺を含めて成る略矩形筒部を下方に備え、他組が前記継手本体部の後壁部と底壁部に接するとともにこの後壁部と底壁部に接する二辺を含めて成る略矩形筒部を下方に備え、この一組と他組の間に三組目の矩形筒部形状の継手部材が挿入され、これら三組の継手部材のいずれか一組が前記継手本体部の内周面に予め固着されることを特徴とする軒樋出隅継手。
【請求項５】
請求項２乃至請求項４のいずれか一項に記載の軒樋出隅継手であって、前記複数の継手部材の略矩形筒部の底壁部からの高さが同じ高さに形成されることを特徴とする軒樋出隅継手。
【請求項６】
請求項１乃至請求項５のいずれか一項に記載の軒樋出隅継手であって、前記前壁部と後壁部に沿う前記継手部材はその上端部が前記軒樋の前壁と後壁の頂部に形成される凹溝部に係止されることを特徴とする軒樋出隅継手。
【発明の詳細な説明】
【技術分野】
【０００１】
本発明は、建築物の軒先に取付けられる軒樋継手の構造に関し、詳しくは、軒先の出隅において一対の軒樋を容易に連結することができる軒樋出隅継手に関する。
【背景技術】
【０００２】
従来、一対の軒樋を連結するときには、軒樋の端部同士を突き合わせた状態で、軒樋と略同じ断面形状で合成樹脂材料製等により成形された軒樋内継手を軒樋の内周面に接着剤を用いて接着していた。
【０００３】
ところが、軒先が出隅の場合には軒樋が外曲がりのため、軒樋内継手の軒樋差込口に差し込まれた軒樋の深さ位置が確認しにくいので軒樋の差込みが浅くなる可能性があった。そのため、軒樋の曲がり保持力が弱くなって軒樋が軒樋内継手から外れるという問題があった。また、軒樋の側端が軒樋差込口の縁に引っ掛かって差し込みにくいので組付けの作業性が悪いという問題もあった。
【０００４】
この問題を解決する方法が特許文献１に開示されている。図８に示すように、軒樋出隅継手１は略Ｌ字型に屈曲し建物の軒先のコーナーで軒樋５、５を連架するため軒樋出隅継手１の内面が軒樋５の外面に沿うとともに軒樋５の内面に沿って内押え部材２が設けられる。軒樋出隅継手１の内面には軒樋５の側端が突き当たる軒樋止め部３が設けられ、軒樋止め部３より側端側は軒樋５が接合される軒樋接合部１１である。
【０００５】
軒樋出隅継手１は、前壁の上端部に軒樋５の前耳７の外面に沿う前耳把持部１５を備え、後壁の上端部に軒樋５の後耳８の外面に沿う後耳把持部１４を備えている。この前耳把持部１５と後耳把持部１４には耳止め部３１が軒樋止め部３と一連に形成される。
【０００６】
内押え部材２は外面形状が軒樋５の内面に沿うように形成されたものであり、前壁上端には前耳把持部１５の先端部と係合する前壁係止部２５が、後壁上端には後耳把持部１４の先端部と係合する後壁係止部２４が設けられる。また、内押え部材２の前壁と後壁とを前後に連架する架橋片２６が設けられ、この架橋片２６は内押え部材２の補強材である。
【０００７】
軒樋出隅継手１を用いる軒樋５、５の接続方法は、まず、軒樋出隅継手１の軒樋接合部１１に接着剤を塗布した後、軒樋５の下方から軒樋出隅継手１を宛がって、軒樋５の側端が軒樋止め部３に突き当たるようにして軒樋５の側端部の外面に軒樋出隅継手１の軒樋接合部１１を接合する。このとき、軒樋の前耳７と後耳８はそれぞれ前耳把持部１５と後耳把持部１４に納まる。
【０００８】
次に、内押え部材２の外面に接着剤を塗布した後、軒樋５の上方から内押え部材２を宛がって接合する。このとき、内押え部材２の前壁係止部２５と後壁係止部２４とがそれぞれ前耳把持部１５と後耳把持部１４に係合される。これにより、軒樋出隅継手１と内押え部材２との間に軒樋５が挟着される。
【特許文献１】特開平８−５３９１２号公報
【発明の開示】
【発明が解決しようとする課題】
【０００９】
ところが、特許文献１の構成によれば、軒樋出隅継手１と軒樋５、５の接続の際に、軒樋出隅継手１の軒樋接合部１１に接着剤を塗布した後、軒樋５の下方から軒樋出隅継手１を宛がって軒樋５の側端部の外面に軒樋出隅継手１の軒樋接合部１１を接合する。このとき、軒樋５と軒樋出隅継手１の断面形状が同じなので軒樋５と軒樋出隅継手１の嵌合時に軒樋出隅継手１によって接着剤が掻き取られ易いため嵌合部の接着強度が不足したり雨水が漏れるという問題があった。
【００１０】
そこで、本発明はかかる従来技術の問題に鑑みなされたものであって、その目的とするところは、軒先の出隅にあって一対の軒樋を連結する際に接着剤が掻き取られることなく軒樋を容易に嵌合することができる軒樋出隅継手を提供する。
【課題を解決するための手段】
【００１１】
請求項１の発明は、前壁と後壁と底壁から成る断面凹形状の一対の軒樋を建物の出隅で接着剤を介して連結する軒樋出隅継手であって、前記軒樋出隅継手は平面視略Ｌ字形状で前記軒樋と同形状の断面凹形状の前壁部と後壁部と底壁部から成る継手本体部と、前記継手本体部の両端部の内周面と前記一対の軒樋の端部の内周面に跨って連結する一対の継手部とから成る。そして、それぞれの前記継手部は複数の継手部材で形成され、その内の一組の継手部材が前記継手本体部の内周面に予め固着されていることを特徴としている。
【００１２】
請求項２の発明は、請求項１に記載の軒樋出隅継手であって、前記継手部材は二組で形成され、一組が前記継手本体部の前壁部と底壁部に接するとともにこの前壁部と底壁部に接する二辺を含めて成る略矩形筒部を下方に備え、他組が前記継手本体部の後壁部と底壁部に接するとともにこの後壁部と底壁部に接する二辺を含めて成る略矩形筒部を下方に備えることを特徴としている。
【００１３】
請求項３の発明は、請求項２に記載の軒樋出隅継手であって、前記継手部材の二組の前記略矩形筒部の隣接部において互いに垂直方向に重なる突出部を前記底壁部と平行に備え、この突出部が前記底壁部に接する側の前記継手部材が前記継手本体部の内周面に予め固着されることを特徴としている。
【００１４】
請求項４の発明は、請求項１に記載の軒樋出隅継手であって、前記継手部材は三組で形成され、一組が前記継手本体部の前壁部と底壁部に接するとともにこの前壁部と底壁部に接する二辺を含めて成る略矩形筒部を下方に備え、他組が前記継手本体部の後壁部と底壁部に接するとともにこの後壁部と底壁部に接する二辺を含めて成る略矩形筒部を下方に備える。そして、この一組と他組の間に三組目の矩形筒部形状の継手部材が挿入され、これら三組の継手部材のいずれか一組が前記継手本体部の内周面に予め固着されることを特徴としている。
【００１５】
請求項５の発明は、請求項２乃至請求項４のいずれか一項に記載の軒樋出隅継手であって、前記複数の継手部材の略矩形筒部の底壁部からの高さが同じ高さに形成されることを特徴としている。
【００１６】
請求項６の発明は、請求項１乃至請求項５のいずれか一項に記載の軒樋出隅継手であって、前記前壁部と後壁部に沿う前記継手部材はその上端部が前記軒樋の前壁と後壁の頂部に形成される凹溝部に係止されることを特徴としている。
【発明の効果】
【００１７】
請求項１の発明によれば、前記軒樋出隅継手は平面視略Ｌ字形状で前記軒樋と同形状の断面凹形状の前壁部と後壁部と底壁部から成る継手本体部と、前記継手本体部の両端部の内周面と前記一対の軒樋の端部の内周面に跨って連結する一対の継手部とから成る。そして、複数の継手部材の内の一組の継手部材が前記継手本体部の内周面に予め固着されるので、一対の継手部を一対の軒樋に挿入して連結する際に、一組の継手部材だけが最初に軒樋に挿入するので連結時の継手部の幅が狭くなるので軒樋への挿入と連結が容易である。また、嵌合状態が厳しくないので予め塗布された接着剤を掻き取ることが無い。一対の軒樋と前記軒樋出隅継手の連結作業が容易且つ確実にできて施工性が向上するとともに、接着が確実で連結強度が向上し雨水漏れが防止できる。
【００１８】
請求項２の発明によれば、請求項１に記載の軒樋出隅継手であって、前記継手部材は二組で形成され、一組が前記継手本体部の前壁部と底壁部に接するとともにこの前壁部と底壁部に接する二辺を含めて成る略矩形筒部を下方に備え、他組が前記継手本体部の後壁部と底壁部に接するとともにこの後壁部と底壁部に接する二辺を含めて成る略矩形筒部を下方に備える。このため、略矩形筒部によって前記継手部材の剛性が向上して継手本体部と前記軒樋を強く押付けるので継手本体部と前記軒樋とのが確実に接着されて連結強度が向上し、請求項１の効果と同様の効果が得られる。
【００１９】
請求項３の発明によれば、請求項２に記載の軒樋出隅継手であって、前記継手部材の二組の前記略矩形筒部の隣接部において互いに垂直方向に重なる突出部を前記底壁部と平行に備え、この突出部が前記底壁部に接する側の前記継手部材が前記継手本体部の内周面に予め固着されるので、二組の前記継手部材の隣接面におけるシール性が向上するので連結強度が向上し、請求項２の効果と同様の効果が得られる。
【００２０】
請求項４の発明によれば、請求項１に記載の軒樋出隅継手であって、前記継手部材は三組で形成され、一組が前記継手本体部の前壁部と底壁部に接するとともにこの前壁部と底壁部に接する二辺を含めて成る略矩形筒部を下方に備え、他組が前記継手本体部の後壁部と底壁部に接するとともにこの後壁部と底壁部に接する二辺を含めて成る略矩形筒部を下方に備える。そして、この一組と他組の間に三組目の矩形筒部形状の継手部材が挿入され、これら三組の継手部材のいずれか一組が前記継手本体部の内周面に予め固着されるので、建物の出隅がさらに狭く厳しい状況の場合でも取付作業性が容易にできて、請求項１の効果と同様の効果が得られる。
【００２１】
請求項５の発明によれば、請求項２乃至請求項４のいずれか一項に記載の軒樋出隅継手であって、前記複数の継手部材の略矩形筒部の底壁部からの高さが同じ高さに形成されるので、前記継手部材は略矩形筒部によって前記軒樋の前壁と後壁に対してバランスよく押付けることができるので継手部材と軒樋が接着剤で確実に安定して固着できる。
【００２２】
請求項６の発明によれば、請求項１乃至請求項５のいずれか一項に記載の軒樋出隅継手であって、前記前壁部と後壁部に沿う前記継手部材はその上端部が前記軒樋の前壁と後壁の頂部に形成される凹溝部に係止されるので、継手部材と軒樋が安定して確実に係止できるので接着が確実で連結強度が向上し雨水漏れが防止できる。
【発明を実施するための最良の形態】
【００２３】
＜軒樋出隅継手の構成＞
以下に、本発明の第一の実施形態を図１〜図６に基づいて説明する。
【００２４】
図１、図２、図３、図４に示すように、建物の出隅において、軒樋出隅継手３５を、前壁３６ａと後壁３６ｂと底壁３６ｃから成る断面凹形状の一対の軒樋３６に矢印Ｐに示すように挿入して連結する。
【００２５】
軒樋３６は、前壁３６ａの上端部に前耳３６ｅと、後壁３６ｂの上端部に後耳３６ｆを備え、前耳３６ｅと後耳３６ｆは前壁３６ａと後壁３６ｂがそれぞれ軒樋３６の内部側に直角に二度折込まれて成る凹溝部である。なお、後壁３６ｂと底壁３６ｃで囲まれる隅部は斜め板で隅取りされ、軒樋３６は図示しない吊金具を用いて軒先の鼻板に取付けられる。
【００２６】
軒樋出隅継手３５は継手本体部３７と一対の継手部３８で形成される。継手本体部３７は平面視略Ｌ字形状で、両端部３７ｆの形状は軒樋３６と同断面凹形状の前壁部３７ａと後壁部３７ｂと底壁部３７ｃで形成される。より詳しくは、前壁部３７ａは大きな平面視略Ｌ字形状、後壁部３７ｂは小さい平面視略Ｌ字形状で、前壁部３７ａと後壁部３７ｂの上端部に軒樋３６と同様に、前壁部３７ａと後壁部３７ｂをそれぞれ直角に二度折込まれて成る凹溝部３７ｄ、３７ｅを備える。そして、一対の継手部３８が両端部３７ｆの断面凹形状の内周面Ｑ１と一対の軒樋３６の断面凹形状の端部３６ｄ近傍の内周面Ｑ２とに跨って取付られる。
【００２７】
一対の継手部３８はそれぞれ二組の継手部材４０、４２で形成される。一組目の継手部材４０は継手本体部３７の後壁部３７ｂと底壁部３７ｃに接するとともにこの後壁部３７ｂと底壁部３７ｃに接する二辺を含めて成る略矩形筒部４１を下方に備える。より詳しくは、継手部材４０は中央辺４０ａ、下辺４０ｂ、外側辺４０ｃ、上辺４０ｄで略矩形筒部４１を形成し、下辺４０ｂと外側辺４０ｃで囲まれる隅部は軒樋３６の隅部に合わせて斜め板で隅取りされる。外側辺４０ｃは上方に側辺４０ｅで延材してその頂部４０ｆの略半分が凹溝部３７ｅに係止される。この継手部材４０の略半分は継手本体部３７の内周面Ｑ１に予め固着され、継手部材４０の突出する残り略半分は、軒樋３６に挿入したときに凹溝部３７ｅに係止されていない頂部４０ｆが軒樋３６の後耳３６ｆに係止される。
【００２８】
他の一組の継手部材４２は、継手部材４０が継手本体部３７と一体的に一対の軒樋３６に挿入した後に取付けられる。継手部材４２は継手本体部３７の前壁部３７ａと底壁部３７ｃに接するとともにこの前壁部３７ａと底壁部３７ｃに接する二辺を含めて成る略矩形筒部４３を下方に備える。より詳しくは、継手部材４２は中央辺４２ａ、下辺４２ｂ、外側辺４２ｃ、上辺４２ｄで略矩形筒部４３を形成し、外側辺４２ｃは上方に側辺４２ｅで延材して頂部４２ｆが凹溝部３７ｄと前耳３６ｅに同時に係止される。
【００２９】
雨水は矢印Ｗに示すように一対の軒樋３６間を継手部材４０の略矩形筒部４１、継手部材４２の略矩形筒部４３を介して連通し、雨水量が多い場合にはさらに略矩形筒部４１、４３の上方を自由に通過できる。
【００３０】
二組の継手部材４０、４２の略矩形筒部４１、４３は底壁部３７ｃからの高さＨが同じで、上辺４０ｄと上辺４２ｄが底壁部３７ｃに平行に形成され、上辺４０ｄと上辺４２ｄは略同じ長さである。高さＨは前壁部３７ａの高さＨ１の略１／２の高さ位置、後壁部３７ｂの高さＨ２の略２／３の高さ位置にそれぞれ対応するように形成される。
【００３１】
接着剤の塗布領域と軒樋出隅継手３５の組付け順序との関係は、まず、予め継手本体部３７の後壁部３７ｂと底壁部３７ｃにおいて継手部材４０が当接する領域の内周面Ｑ１に接着剤を塗布して継手部材４０を固着する。次に、残りの内周面Ｑ１と継手部材４０の中央辺４０ａに塗布する一方、軒樋３６の内周面Ｑ２と端部３６ｄに接着剤を塗布した状態で、継手本体部３７を軒樋３６に突き合わせて継手部材４０で固着し、最後に継手部材４０を固着する。
【００３２】
軒樋出隅継手３５、軒樋３６、継手部３８の材質は、ステンレスや亜鉛メッキをした金属、あるいは軽量化や耐腐食性を考慮して例えば硬質塩化ビニール樹脂等の合成樹脂材料、或いは、金属板の両面に合成樹脂材料を被覆して形成される。
【００３３】
＜軒樋出隅継手の作用＞
図５（ａ）に示すように、建物の出隅において一対の軒樋３６が既に取付けられた状態で、軒樋出隅継手３５を水平の状態で一対の軒樋３６に干渉しないように少し高い位置から、矢印Ｓ１に示すように回転させながら一方の継手部３８を図における上方の軒樋３６に挿入していく。ここで、継手部３８として予め一対の継手部材４０だけが軒樋３６の略半幅の領域に対応して取付けられ、継手部材４０は継手本体部３７の凹溝部３７ｅにも係止されている。
【００３４】
図５（ｂ）に示すように、一方の継手部材４０を図における上方の軒樋３６に挿入する一方で、他方の継手部材４０を図における右側の軒樋３６に矢印Ｓ２に示すように挿入していく。一対の継手部材４０が軒樋３６の略半幅の領域に対応して取付けられるので、継手部材４０は一対の軒樋３６に接触することなく容易に挿入できる。
【００３５】
図６（ａ）に示すように、軒樋３６と継手本体部３７は断面を突き合わせた状態で当接し、継手部材４０の側辺４０ｅの頂部４０ｆが軒樋３６の後耳３６ｆに挿入係止されて、一対の継手部材４０が所定位置である軒樋３６の後壁３６ｂと底壁３６ｃに固着される。
【００３６】
最後に、図６（ｂ）に示すように、一対の継手部材４２が軒樋３６の前壁３６ａと底壁３６ｃに当接するとともに継手部材４０に当接して挿入され、継手部材４２の側辺４２ｅの頂部４２ｆが前耳３６ｅに係止される。このとき、一対の継手部材４２は継手本体部３７の内周面Ｑ１及び継手部材４０にも固着され、同時に継手本体部３７の凹溝部３７ｄにも係止される。
【００３７】
上記、一対の継手部３８に予め一対の継手部材４０が軒樋３６の略半幅の領域で取付けられるので、継手部材４０を一対の軒樋３６に接触することなく容易且つ確実に挿入できるので作業効率が向上し、高所施工作業の安全性も高まる。さらに、塗布された接着剤が掻き取られることが無いので固着が確実になるので雨漏りが発生しない。
【００３８】
「第二の実施形態」
本発明の第二の実施形態を図７（ａ）に基づいて説明するが、図４に示す構成と同様の構成部分については図面に同符号を付して重複した説明を省略し、図１〜図３に示す構成とは同様であるのでその説明および図面を省略する。
【００３９】
二組の継手部材４０、４２の略矩形筒部４１、４３が隣接する中央辺４０ａ、４２ａにおいて互いに重なる矩形状の突出部４５、４６を底壁部３７ｃと平行に備え、底壁部３７ｃに接する側の継手部材４０が継手本体部３７の内周面に予め固着される。この場合、隣接部において突出部４５、４６が水平部Ｋで互いに重なるので、略矩形筒部４１、４３が垂直面だけで突き合わせ接触する状態に比べて、水平部Ｋによって接着がより確実にできるのでシール性がさらに向上する。
【００４０】
「第三の実施形態」
本発明の第三の実施形態を図７（ｂ）に基づいて説明するが、図４に示す構成と同様の構成部分については図面に同符号を付して重複した説明を省略し、図１〜図３に示す構成とは同様であるのでその説明および図面を省略する。
【００４１】
三組の継手部材４０、４２、４７で形成され、継手部材４０と継手部材４２の二組の略矩形筒部４１、４３の隣接する中央辺４０ａ、４２ａ間に三組目の継手部材４７が矩形筒部形状で両側辺４７ａ、４７ｂをそれぞれ中央辺４０ａ、４２ａに当接して挿入され、これら三組の継手部材４０、４２、４７のいずれか一組が予め継手本体部３７の内周面に固着される。
【００４２】
この場合、継手部材が三分割されるので各継手部材の幅が小さくなるので、建物の出隅が狭くて厳しい状況の場合でも、軒樋出隅継手３５を一対の軒樋３６に挿入連結する際の取付作業性が向上する。
【００４３】
以上、本発明の実施例を図面に基づいて説明したが、具体的な構成はこの実施例に限られるものではなく本発明の要旨を逸脱しない範囲の設計変更等があっても本発明に含まれる。
【００４４】
例えば、接着剤の塗布領域は、継手部材４０の軒樋３６に挿入される下辺４０ｂと、後で挿入される継手部材４０の中央辺４０ａ、下辺４０ｂ、外側辺４０ｃに追加塗布してもよい。二組の継手部材４０、４２は、下方に略矩形筒部４１を備えず、継手本体部３７の前壁部３７ａ又は後壁部３７ｂと底壁部３７ｃに接する形状でも構わない。二組の継手部材４０、４２は、継手部材４０の代わりに継手部材４２が予め継手本体部３７の内周面Ｑ１に固着される構成でも構わない。継手部材は必要であれば三分割を超える分割も可能である。
【図面の簡単な説明】
【００４５】
【図１】本発明の第一の実施形態における、軒樋出隅継手３５と一対の軒樋３６の組付け状態を示す分解斜視図である。
【図２】本発明の第一の実施形態における、継手本体部３７を一対の継手部３８によって一対の軒樋３６に連結した状態を示す斜視図である。
【図３】本発明の第一の実施形態における、軒樋出隅継手３５が一対の軒樋３６に組付けられた状態を示す平面図である。
【図４】本発明の第一の実施形態における、図３のＡ−Ａ断面図である。
【図５】本発明の第一の実施形態における、(ａ)は軒樋出隅継手３５の一方の継手部材４０を一方の軒樋３６に挿入する状態を示す平面図、(ｂ)は一方の継手部材４０を一方の軒樋３６に挿入しながら、他方の継手部材４０を他方の軒樋３６に挿入する状態を示す平面図である。
【図６】本発明の第一の実施形態における、(ａ)は軒樋出隅継手３５の一対の継手部材４０を一対の軒樋３６の所定位置に挿入した状態を示す平面図、(ｂ)は、さらに一対の継手部材４２を挿入して軒樋出隅継手３５を一対の軒樋３６に挿入完了した状態を示す平面図である。
【図７】（ａ）は、本発明の第二の実施形態における、二組の継手部材４０、４２の略矩形筒部４１、４３が隣接する中央辺４０ａ、４２ａにおいて互いに重なる突出部４５、４６を備える状態を示す断面図、（ｂ）は、本発明の第三の実施形態における、三組の継手部材４０、４２、４７の組付け状態を示す断面図である。
【図８】従来の、軒樋出隅継手１と軒樋の組付け状態を示す分解斜視図である。
【符号の説明】
【００４６】
３５  軒樋出隅継手
３６  軒樋
３６ｄ  端部
３７  継手本体部
３７ａ  前壁部
３７ｂ  後壁部
３７ｃ  底壁部
３７ｆ  端部
３８  継手部
４０  継手部材
４１  略矩形筒部
４２  継手部材
４３  略矩形筒部
Ｑ１  内周面
Ｑ２  内周面
【図１】
2010090610.tif 000003
【図２】
2010090610.tif 000004
【図３】
2010090610.tif 000005
【図４】
2010090610.tif 000006
【図５】
2010090610.tif 000007
【図６】
2010090610.tif 000008
【図７】
2010090610.tif 000009
【図８】
2010090610.tif 000010